(57)【要約】      （修正有）【課題】反射鏡を備えた反射部材を簡単な構造で固定することができ、固定も簡単に行うことができる取付構造を提供する。【解決手段】筒状に形成され内部に光源が個々に挿入される複数の反射鏡部２１及び複数の反射鏡部２１が設けられたベース板部２２によって形成された反射部材２０と、ハウジング３から反射部材２０側に向かって立設する３以上の支持ロッド７とを備え、ベース板部２２及び目隠し板を貫通した支持ロッド７のねじ部７ａに固定用ねじ２３を螺合させることにより反射部材２０支持ロッド７に固定する。【選択図】図３
0003168299.tif 000002
【実用新案登録請求の範囲】
【請求項１】
筒状に形成され内部に光源が個々に挿入される複数の反射鏡部及び複数の反射鏡部が設けられたベース板部によって形成された反射部材と、
前記光源が取り付けられると共に前記反射部材を収容するハウジングと、
先端にねじ部が形成されて前記ハウジングから反射部材側に向かって立設する３以上の支持ロッドと、
前記ベース板部を貫通した支持ロッドのねじ部に螺合することにより前記反射部材を支持ロッドに固定する固定用ねじとを備えていることを特徴とする反射部材の取付構造。
【請求項２】
前記反射鏡部に対応した窓孔が形成され、前記ベース板部の前面側に被せられる目隠し板をさらに有し、前記反射鏡部の外周にフランジ部が一体に形成され、このフランジ部が前記ベース板部及び目隠し板に挟まれた状態でベース板部と目隠し板とを止着ねじによって締結することにより反射鏡部がベース板部に取り付けられていることを特徴とする請求項１記載の反射部材の取付構造。
【請求項３】
前記反射鏡部は光の照射方向に向かって径が広がるラッパ形状の筒状に形成されていることを特徴とする請求項１及び２記載の反射部材の取付構造。
【請求項４】
前記光源はＬＥＤであることを特徴とする請求項１記載の反射部材の取付構造。
【考案の詳細な説明】
【技術分野】
【０００１】
本考案は、投光機等の照明装置に用いられる反射部材を照明装置本体に取り付けるための取付構造に関する。
【背景技術】
【０００２】
野球場、サッカー場、駐車場等の屋外施設の照明装置や工場や倉庫内の屋内施設の照明装置として使用される投光機においては、光源からの光を効率良く照射するため、光源からの光を反射する反射部材が用いられている。この反射部材は光源を個々に収容する複数の筒状の反射鏡によって形成され、この反射鏡がハウジング内に収容されるようになっている。
【０００３】
それぞれの反射鏡をハウジングに固定するため、ハウジングには複数の支持ロッドが立設されており、この支持ロッドに反射鏡が連結されるようになっている。従来においては、２つの支持ロッドによって一の反射鏡を固定する構造となっており、このため反射鏡の倍数の支持ロッドがハウジングに配置されている。
このような照明装置については、特許文献１に記載された投光機が公知となっている。
【先行技術文献】
【特許文献】
【０００４】
【特許文献１】特開２００９−１０４８５５号公報
【考案の概要】
【考案が解決しようとする課題】
【０００５】
しかしながら、従来においては、一の反射鏡を２本の支持ロッドによって固定する構造となっているため、反射鏡の数が多くなると、それだけ支持ロッドの数が多くなり、構造が複雑で重量が大きくなる問題がある。又、個々の反射鏡を支持ロッドに固定する必要があるため、反射鏡の固定が面倒となる問題を有している。
【０００６】
本考案は、このような従来の問題点を考慮してなされたものであり、反射鏡を備えた反射部材を簡単な構造で固定することができ、その固定も簡単に行うことができる反射部材の取付構造を提供することを目的とする。
【課題を解決するための手段】
【０００７】
本考案の反射部材の取付構造は、筒状に形成され内部に光源が個々に挿入される複数の反射鏡部及び複数の反射鏡部が取り付けられるベース板部によって形成された反射部材と、  前記光源が取り付けられると共に前記反射部材を収容するハウジングと、先端にねじ部が形成されて前記ハウジングから反射部材側に向かって立設する３以上の支持ロッドと、前記ベース板部を貫通した支持ロッドのねじ部に螺合することにより前記反射部材を支持ロッドに固定する固定用ねじとを備えていることを特徴とする。
【０００８】
この場合、前記反射鏡部に対応した窓孔が形成され、前記ベース板部の前面側に被せられる目隠し板をさらに有し、前記反射鏡部の外周にフランジ部が一体に形成され、このフランジ部が前記ベース板部及び目隠し板に挟まれた状態でベース板部と目隠し板とを止着ねじによって締結することにより反射鏡部がベース板部に取り付けられていることが好ましい。
【０００９】
又、前記反射鏡部は光の照射方向に向かって径が広がるラッパ形状の筒状に形成されていることが好ましい。
【００１０】
又、前記光源はＬＥＤであることが好ましい。
【考案の効果】
【００１１】
本考案によれば、反射鏡部をベース板部に組み付けて反射部材を形成し、この反射部材に支持ロッドのねじ部を貫通させ、貫通した支持ロッドのねじ部に固定用ねじを螺合させることにより反射部材をハウジングに取り付けることができる。このような構造では、支持ロッドが反射部材を固定することにより、全ての反射鏡部が取り付けられる構造となっているため、反射鏡部に合わせた数の支持ロッドが不要となり、支持ロッドの数を削減できる。このため、構造が簡単となり、軽量化ができ、しかも反射部材の固定を簡単に行うことができる。
【図面の簡単な説明】
【００１２】
【図１】本考案の一実施形態が適用される投光機の正面図である。
【図２】投光機の側面図である。
【図３】投光機の分解断面図である。
【図４】投光機におけるハウジングの分解断面図である。
【図５】反射部材の組み付け前の断面図である。
【図６】反射部材の組み付け後の断面図である
【考案を実施するための形態】
【００１３】
図１〜図６は本考案の一実施形態を示し、図１及び図２は投光機１の正面図及び側面図であり、図３は分解側面図、図４はハウジングの分解側面図である。
【００１４】
投光機１は複数（１０個）の光源２からの光を前面から照射するものであり、光源２を収容したハウジング３を備えている。図２に示すように、ハウジング３の外側には脚フレーム４が取り付けられており、この脚フレーム４を屋外施設や屋内施設に取り付けることにより投光機１の屋内外施設への配置が行われる。この実施形態において、ハウジング３は脚フレーム４に対して角度調整可能となっており、そのための角度表示板５が設けられている。又、角度調整を行ったハウジング３のロック及びその解除を行うためのハンドル６を備えている。なお投光機１としては、脚フレーム４やハンドル６を省いた簡単な構造としても良い。
【００１５】
投光機１の光源２としては、水銀灯、ＬＥＤ等を使用することができる。この実施形態において、光源２としてＬＥＤが用いられている。ＬＥＤを用いることにより、消費電力を低減させることができ、しかも長寿命とすることができ経済的とすることができる。
【００１６】
図３に示すように、投光機１はハウジング３と、反射部材２０と、透明カバー４０と、固定部材５０とを備えている。
【００１７】
図４に示すように、ハウジング３は底板部１０と、底板部１０に取り付けられる本体部１１とを備えている。底板部１０及び本体部１１はアルミニウムによって形成されている。底板部１０には複数の光源２がそれぞれ取り付けられる。光源２は底板部１０の前面側に取り付けられるものであり、それぞれの光源２はコネクタ１７に支持されており、このコネクタ１７が押え板部１２及びねじ１３により底板部１０に固定されることにより底板部１０に装着される。底板部１０の背面側には、光源２からの熱を周囲に放熱する複数の放熱フィン１４が一体に形成されている。
【００１８】
底板部１０には、複数の支持ロッド７が立設状に取り付けられている。支持ロッド７は長さ方向の両端部にねじ部７ａ、７ｂが形成されており、基部側のねじ部７ｂが底板部１０にねじ込まれることにより反射部材２０側に向かって立設した状態となっている。支持ロッド７は反射部材２０を支持するものであり、先端側のねじ部７ａが反射部材２０に連結される。この実施形態において、支持ロッド７は図１に示すように、６本が立設されている。図１において、固定用ねじ２３が支持ロッド７の支持位置である。図１に示すように、支持ロッド７は６本が使用されており、この支持ロッド７によって反射部材２０が固定されるが、支持ロッド７としては、少なくとも三点で反射部材２０を固定するものであれば良く、６本ではなく３本であっても良い。
【００１９】
本体部１１は前後の端面が開口された皿形状に形成されており、底板部１０の前面側にねじ１５によって固定される。これにより本体部１１の後端面が封鎖される。この本体部１１は底板部１０から立ち上がるように設けられており、反射部材２０を内部に収容するようになっている。又、本体部１１の前面側には、透明カバー４０が取り付けられることにより前面側が覆われている。これにより本体部１１の前端面が封鎖される。このように本体部１１の前後端面が封鎖されることにより、ハウジング３の内部への雨水の浸入が防止される。又、透明カバー４０が前面側に取り付けられることにより光源２からの光をハウジング３の外部に向けて照射することができる。図４において、符号１６は底板部１０とは本体部１１との間をシールするシールリングである。
【００２０】
図３に示すように、反射部材２０は複数の反射鏡部２１と、反射鏡部２１が取り付けられるベース板部２２とによって形成されている。反射鏡部２１及びベース板部２２はアルミニウムによって形成されている。それぞれの反射鏡部２１は前後端面が開口された筒状に形成されている。反射鏡部２１はハウジング３側である後端面の開口部から光源２が挿入される。そして、反射鏡部２１は光源２が発光した光を反射して前方側（透明カバー４０側）に導き、前端面の開口部から光を出射する。この実施形態において、反射鏡部２１は光の照射方向（前方方向）に向かって径が広がるラッパ形状に形成されている。このようにラッパ形状に形成されることにより、光源２からの光を高効率で出射することができる。
【００２１】
ベース板部２２は薄板状に形成されており、以上の反射鏡部２１が取り付けられる。反射鏡部２１がベース板部２２に取り付けられて形成された反射部材２０はハウジング３内に収容される。ハウジング３内において、反射部材２０は支持ロッド７に固定される。この支持ロッド７への固定は袋ナットからなる固定用ねじ２３によって行われる。すなわち、支持ロッド７の先端側のねじ部７ａが反射部材２１のベース板部２２を貫通し、貫通したねじ部７ａに固定用ねじ２３を螺合させることにより行うものである。
【００２２】
透明カバー４０はガラス板、透明樹脂板等によって形成されており、外周全体にパッキン４１が取り付けられている。透明カバー４０はハウジング３における本体部１１の前面を覆うように取り付けられる。透明カバー４０がハウジング３の前面を覆うことにより透明カバー４０はハウジング３内に収容された反射部材２０を前面側で覆うようになっている。
【００２３】
固定部材５０は透明カバー４０をハウジング３（本体部１１）に固定するものである。図１に示すように、固定部材５０はリング状に形成されたアルミニウムからなる固定枠５１を有しており、この固定枠５１が透明カバー４０の外周部分（パッキン４１の装着部分）をハウジング３（本体部１１）に押し付けるように作用する。固定枠５１には、固定用凸部５２が円周上に等間隔で形成されており、固定用凸部５２に対応した固定金具（図示省略）を本体部１１の外周部分の後側に配置し、固定用凸部５２及び固定金具を固定ねじ５３によって締結することにより、透明カバー４０の外周部分及びハウジング３（本体部１１）を挟み込む。これにより、透明カバー４０をハウジング３に固定することができる。
【００２４】
図５及び図６は、反射部材２０を組み付ける手順を示し、図５は反射部材２０の組み付け前の断面図、図６は組み付け後の断面図である
【００２５】
図５及び図６に示すように、ラッパ筒状の反射鏡部２１にはフランジ部２４が一体に形成されている。フランジ部２４は反射鏡部２１の外周に外側に広がるように形成されている。一方、ベース板部２２には反射鏡部２１が貫通する貫通孔２５が板厚方向に形成されており、この貫通孔２５に反射鏡部２１が貫通することによりベース板部２２に対する反射鏡部２１の位置決め状態での取り付けがなされる。貫通孔２５は反射鏡部２１の数に合わせて形成されるものである。貫通孔２５の周囲には、段状に窪んだ段部２６が形成され、この端部２６に反射鏡部２１のフランジ部２４が嵌め込まれるようになっている。さらに段部２６と異なった位置には、後述する止着ねじ２８が螺合するねじ孔２９が形成されている。ねじ孔２９、すなわち止着ねじ２８は図１に示すように、円周上の４箇所に設けられる。
【００２６】
この実施形態においては、目隠し板２７が用いられる。目隠し板２７はアルミニウムによって薄板状に形成されており、反射鏡部２１に対応した位置に窓孔２７ａが形成されると共にベース板部２２のねじ孔２９と対応した位置に孔部３０が形成されている。目隠し板２７における窓孔２７ａ及び孔部３０以外の部位は開口されることなく閉鎖されており、これによりハウジング３の内部の押え板部１２、ねじ１３その他の部品が見えないように作用している。
【００２７】
反射部材２０の組み付けは、反射鏡部２１をベース板部２２の貫通孔２５に貫通させると共に反射鏡部２１のフランジ部２４をベース板部２２の段部２６に嵌め込む。その後、目隠し板２７をベース板部２２の前面に当接させることによりベース板部２２の前面を覆い、この状態で孔部３０とベース板部２２のねじ孔２９とを一致させる。そして、止着ねじ２８を孔部３０に貫通させてベース板部２２のねじ孔２９に螺合させて締結する。これによりフランジ部２４がベース板部２２と目隠し板２７とに挟持されて反射鏡部２１がベース板部２２に固定され、複数の反射鏡部２１が配置された反射部材２０が形成される。
【００２８】
このように形成された反射部材２０に６本の支持ロッド７のねじ部７ａを貫通させ、固定用ねじ２３をねじ部７ａに螺合させることによって反射部材２０をハウジング３に取り付けることができる。
【００２９】
このような実施形態では、反射鏡部２１及びベース板部２２によって及び反射部材２０を形成し、この反射部材２０に支持ロッド７のねじ部７ａを貫通させ、支持ロッド７のねじ部７ａに固定用ねじ２３を螺合させることにより反射部材２０をハウジング３に取り付けるようになっている。このような構造では、支持ロッド７が反射部材２０を固定することにより、全ての反射鏡部２１が取り付けられる構造となっている。このため、反射鏡部２１に合わせた数の支持ロッド７が不要となり、支持ロッド７の数を削減できる。これにより構造が簡単となり、軽量化ができ、しかも反射部材２０の固定を簡単に行うことが可能となる。
【００３０】
上記実施形態では、反射鏡部２１を止着ねじ２８によりベース板部２２に固定して反射部材２０としているが、反射鏡部２１をベース板部２２に組み付け目隠し板２７で押え付けた仮組み付け状態とし、この状態で反射部材２０に支持ロッド７のねじ部７ａを貫通させ、固定用ねじ２３によって反射部材２０及び目隠し板２７を支持ロッド７に共締めすることによってこれらを支持ロッド７に固定しても良い。この場合には、ねじの数を削減することができ、組み付けが簡単となるメリットがある。
【符号の説明】
【００３１】
１  投光機
２  光源
３  ハウジング
７  支持ロッド
７ａ  ねじ部
２０  反射部材
２１  反射鏡部
２２  ベース板部
２３  固定用ねじ
２４  フランジ部
２７  目隠し板
４０  透明カバー
５０  固定部材
【図１】
0003168299.tif 000003
【図２】
0003168299.tif 000004
【図３】
0003168299.tif 000005
【図４】
0003168299.tif 000006
【図５】
0003168299.tif 000007
【図６】
0003168299.tif 000008